(57)【要約】【課題】リモートセンス形式の電源供給装置において、リモートセンス用配線等の断線を事前に検知し、常に高精度の電圧を電力消費機器に供給する【解決手段】電力消費機器１内の通常使用電源である第１の電源部１１より電力消費機器２の内部回路２１へ電力供給する前に、電圧オンオフ制御部２４は、第１のスイッチ回路１３をオンして第２の電圧Ｖ２を電力供給線３へ印加し、第１の電圧検出部２３により検出した電圧値ＶＤが設定範囲外のときには電力供給線３又はリモートセンス用配線４の断線と判断し、電圧値ＶＤが設定範囲内であるときに第１のスイッチ回路１３をオフし、第１の電源部１１をオンする。【選択図】        図１
2005004358.tif 000002
【特許請求の範囲】
【請求項１】
電力供給機器内の第１の電源部から電力供給線を介し第１の電圧を電力消費機器内の内部回路へ供給し、この電力消費機器からリモートセンス用配線を介し前記電力供給機器へ前記第１の電圧に対応する電圧を入力する電力供給装置において、
第２の電圧を前記電力供給線に印加する第２の電源部と、前記第２の電圧印加時の前記内部回路に供給される電圧状態を検知する分圧回路と、前記分圧回路の分圧電圧値を検出する電圧検出部と、前記第１の電源部をオンする前に前記第２の電源部をオンし、前記電圧検出部により検出した分圧電圧値が設定範囲内のときに前記第２の電源部をオフするとともに前記第１の電源部をオンする電圧オンオフ制御部とを設けたことを特徴とする電力供給装置。
【請求項２】
第２の電源部は、第２の電圧を発生する電圧発生部と、入力端を前記電圧発生部に接続し、出力端を電力供給線に接続し、電圧オンオフ制御部によりオンオフ制御される第１のスイッチ回路とからなることを特徴とする請求項１記載の電力供給装置。
【請求項３】
第２の電源部は、第２の電圧を発生する電圧発生部と、アノードを前記電圧発生部に接続し、カソードを電力供給線に接続し、この電力供給線へ第１の電圧の印加の有無によりオンオフするダイオードとからなることを特徴とする請求項１記載の電力供給装置。
【請求項４】
分圧回路は、第１の抵抗と第２の抵抗とを電力消費機器と電力供給機器とに分けて配置し、これら第１の抵抗および第２の抵抗それぞれの一端側はリモートセンス用配線を介し接続し、第１の抵抗の他端側は電力供給線および内部回路と接続し、第２の抵抗の他端側は接地して構成し、これら第１の抵抗と第２の抵抗とにより定まる分圧比で第１の電圧または第２の電圧を分圧することを特徴とする請求項１記載の電力供給装置。
【請求項５】
電圧オンオフ制御部は、第１の電源部をオンした後に、電圧検出部により検出した分圧電圧値と分圧回路の分圧比とから内部回路に供給される電圧値を算出し、同算出した電圧値が設定範囲外のときには前記第１の電源部をオフすることを特徴とする請求項１記載の電力供給装置。
【請求項６】
内部回路へ供給する第１の電圧をオンオフする第２のスイッチ回路を電力消費機器内に設け、電圧オンオフ制御部は、第１の電源部をオンした後に、電圧検出部により検出した第１の電圧の分圧電圧値が設定範囲内のときに前記第２のスイッチ回路をオンすることを特徴とする請求項１記載の電力供給装置。
【発明の詳細な説明】
【０００１】
【発明の属する技術分野】
この発明は電力の供給側と消費側とが分離し、これら両者間を電力供給線およびリモートセンス用配線で接続した電力供給装置において、電力供給線またはリモートセンス用配線の断線を事前に検知可能にした電力供給装置に関するものである。
【０００２】
【従来の技術】
電力を供給する形態として、電力供給機器から電力供給線を介し電力消費機器へ電力を供給する形態がある。
ところで、近年の電子デバイスの高集積化に伴い電子デバイスの低電圧化が進み、上記形態における電力供給線の内部抵抗による電圧降下が無視できなくなってきた。
また、電力消費機器を共通仕様とし、電力供給機器を個別仕様としたとき、電力供給機器の個別仕様に影響を受ける上記電力供給線は、その長さや材質が定まらず、種々多様の仕様となる。このような場合に電力消費機器に適正な電圧を供給するため、電力消費機器と電力供給機器との間にリモートセンス用配線を設け、このリモートセンス用配線を介し電力消費機器側の電圧状態をリモートセンス（遠隔監視）するようにした電力供給装置がある。
この電力供給装置で注意すべき点として、リモートセンス用配線の断線により過電圧が発生し、この過電圧により電力供給機器および電力消費機器を破壊する恐れがあった。
【０００３】
この問題点に対処した従来の電力供給装置として、リモートセンス用配線が断線したときにも実際に電源を動作させ、負荷側の電圧上昇と電流の増加を電源供給側へフィードバックすることにより、負荷側への電源供給を制限するようにした構成のものがある（例えば、特許文献１参照）。
【０００４】
【特許文献１】
特許第３３３９５４３号公報
【０００５】
【発明が解決しようとする課題】
従来の電力供給装置は以上のように構成されているので、リモートセンス用配線の断線を事前に検知することができないという問題があった。
また、リモートセンス用配線が断線した場合でも電力供給を継続することを第１の目的としているため、リモートセンス用配線が断線した場合はリモートセンスを導入した本来の目的である電力供給線の内部抵抗による電圧降下を補償し、正確な電圧を電力消費機器に供給することができず、これにより不正確な電圧供給が継続されるという問題があった。
【０００６】
この発明は上記のような課題を解決するためになされたもので、リモートセンス用配線のみならず電力供給線の断線を事前に検知し、常に高精度の電圧を電力消費機器に供給する電力供給装置を得ることを目的とする。
【０００７】
【課題を解決するための手段】
この発明に係る電力供給装置は、第２の電圧を電力供給線に印加する第２の電源部と、前記第２の電圧印加時の内部回路に供給される電圧状態を検知する分圧回路と、前記分圧回路の分圧電圧値を検出する電圧検出部と、第１の電源部をオンする前に前記第２の電源部をオンし、前記電圧検出部により検出した分圧電圧値が設定範囲内のときに前記第２の電源部をオフするとともに前記第１の電源部をオンする電圧オンオフ制御部とを設けたものである。
【０００８】
【発明の実施の形態】
以下、この発明の実施の一形態を説明する。
実施の形態１．
図１はこの発明の実施の形態１による電力供給装置の構成を示すブロック図である。
図１に示すように、電力供給機器１と電力消費機器２とは電力供給線３およびリモートセンス用配線４とで接続され、電力供給線３を介し電力供給機器１から電力消費機器２へ電力が供給され、リモートセンス用配線４を介し電力消費機器２からリモートセンス用の電圧信号を電力供給機器１へ入力、即ち帰還している。
【０００９】
また、電力供給機器１は正規電源であって第１の電圧Ｖ１を生成する第１の電源部１１、事前の断線チェックに使用する第２の電圧Ｖ２を発生する電圧発生部１２、この第２の電圧Ｖ２の電力供給線３への印加をオンオフする第１のスイッチ回路１３、リモートセンス用配線４を介し入力する電力消費機器２からの帰還電圧を基準電圧（Ｖｒｅｆ）１４と比較して誤差電圧を生成し、この誤差電圧を第１の電源部１１へフィードバックして第１の電圧Ｖ１を補正する誤差増幅器１５、および分圧回路を形成する第２の抵抗１６（Ｒ２）とを備えている。
上記において、電圧発生部１２および第１のスイッチ回路１３とで形成されるものを第２の電源部とする。
【００１０】
また、電力消費機器２は前記第１の電圧Ｖ１または第２の電圧Ｖ２が電力供給線３を介し供給され、このＶ１またはＶ２から電力供給線３等による電圧降下分が差し引かれた電圧Ｖｏが印加されて電力消費する内部回路２１、電力供給機器１の第２の抵抗１６（Ｒ２）と分圧回路を形成する第１の抵抗２２（Ｒ１）、この第１の抵抗２２（Ｒ１）の一端の電圧Ｖｄを検出し、この検出電圧Ｖｄの電圧値ＶＤを出力する第１の電圧検出部２３、この第１の電圧検出部２３から電圧値ＶＤの信号が入力され、この入力信号に基づき前記第１の電源部１１および第２の電源部の第１のスイッチ回路１３それぞれのオンオフを制御する電圧オンオフ制御部２４とを備えている。
【００１１】
図２は上記電圧オンオフ制御部２４の機能構成をを示すブロック図である。
図２に示すように電圧オンオフ制御部２４は、所定の電圧値ＶＳＨ１およびＶＳＨ２を保有する基準電圧部２４１、第１の電圧検出部２３からの電圧値ＶＤと基準電圧部２４１からの所定の電圧値ＶＳＨ１との大小を比較する第１の比較器２４２、上記電圧値ＶＤと基準電圧部２４１からの所定の電圧値ＶＳＨ２との大小を比較する第２の比較器２４３、これら第１の比較器２４２および第２の比較器２４３の比較結果をもとに第１の電源部１１および第２の電源部の第１のスイッチ回路１３それぞれのオンオフを制御する信号Ｓｃを出力する制御部２４４とを備えている。
また、上記基準電圧部２４１は図示しないが、例えば所定の電圧値ＶＳＨ１およびＶＳＨ２のデータを予め記憶しているメモリ部と、このメモリ部からのデータ（ディジタル）をアナログの直流電圧に変換するＤＡＣ（ディジタル・アナログ変換器）とを備える。
【００１２】
また、分圧回路は第１の抵抗（Ｒ１）２２と第２の抵抗（Ｒ２）１６とを電力消費機器２と電力供給機器１とに分けて配置し、これら第１の抵抗２２および第２の抵抗１６それぞれの一端側はリモートセンス用配線４を介し接続し、第１の抵抗２２の他端側は電力供給線３および内部回路２１と接続し、第２の抵抗１６の他端側は接地して構成し、内部回路２１に供給される電圧Ｖｏを第１の抵抗２２と第２の抵抗１６それぞれの抵抗値の比率で分圧している。この分圧した電圧と基準電圧の電圧差を解消すべく第１の電源部１１に帰還をかけることにより、電力消費機器２に一定電圧を印加する。
以上説明のように、リモートセンス用配線４は本来の目的であるリモートセンス機能の構成要素であるとともに分圧回路の構成要素にもなっている。
【００１３】
次に動作について図３に従い説明する。
図３は電圧オンオフ制御部２４の動作シーケンスを示す図である。
初期状態は第１のスイッチ回路１３は開放（オフ）、第１の電源部１１は非動作（オフ）である。
【００１４】
最初のステップＳＴ１にて、電圧オンオフ制御部２４は第１のスイッチ回路１３を閉じる（オン）命令を発行する。この結果、第１のスイッチ回路１３は閉じられ、電圧発生部１２より第２の電圧Ｖ２が電力供給線３へ印加される。
この第２の電圧Ｖ２の印加により、電流が電力供給線３、分圧抵抗の第１の抵抗２２（Ｒ１）、リモートセンス用配線４、分圧抵抗の第２の抵抗１６（Ｒ２）を経由して接地へ流れ、第１の抵抗２２（Ｒ１）と第２の抵抗１６（Ｒ２）の比率に応じた電圧Ｖｄが第１の抵抗器２２（Ｒ１）の一端と接地間に発生する。この電圧Ｖｄは第１の電圧検出部２３で検出され、その電圧値が計測される。
【００１５】
ステップＳＴ２では、上記計測された電圧値の信号が第１の電圧検出部２３より電圧オンオフ制御部２４へ入力される。この入力電圧値Ｖｄを電圧値ＶＤとする。
【００１６】
ステップＳＴ３では、上記電圧値ＶＤと所定の電圧値ＶＳＨ１とを比較し、ＶＤ＞ＶＳＨ１でない（ＮＯ）ときはステップＳＴ４へ移行し、電圧発生部１２または第１のスイッチ回路１３または電力供給線３が正常に機能していないと判断して処理を終わる。例えば電力供給線３が断線している場合である。
【００１７】
これに対し、ＶＤ＞ＶＳＨ１のとき（ＹＥＳ）はステップＳＴ５へ移行する。
ステップＳＴ５では電圧値ＶＤと所定の電圧値ＶＳＨ２とを比較し、ＶＤ＜ＶＳＨ２でない（ＮＯ）ときはステップＳＴ６へ移行し、リモートセンス用配線４が正常に機能していないと判断して処理を終わる。例えばリモートセンス用配線４が断線している場合である。
【００１８】
以上説明のステップＳＴ３〜ステップＳＴ６の意味を図４に示す。
図４は検出電圧Ｖｄとエラーとの関係図である。
図４において、「エラー１」がステップＳＴ４に該当し、電圧発生部１２または第１のスイッチ回路１３が正常に機能していない、または電力供給線３が断線等により正常に機能していないためにＶＤ＜ＶＳＨ１となることを表す。
また、「エラー２」がステップＳＴ６に該当し、リモートセンス用配線４が断線等により正常に機能していないためにＶＤ＞ＶＳＨ２となることを表す。
【００１９】
以上に対しステップＳＴ５において、ＶＤ＜ＶＳＨ２のとき（ＹＥＳ）はステップＳＴ７にて正常動作していると判断して第１のスイッチ回路１３を開く（オフ）命令を発行する。
【００２０】
ステップＳＴ８では第１の電源部１１に対し、電力供給要求（オン）の命令を発行する。
このステップＳＴ８により、第１の電源部１１から電力供給線３を介し第１の電圧Ｖ１が供給され、内部回路２１に電圧Ｖｏの電力が供給される。
【００２１】
上記電圧Ｖｏは分圧回路を構成する第１の抵抗２２（Ｒ１）と、リモートセンス用配線４を介し接続された第２の抵抗１６（Ｒ２）とで分圧され、第２の抵抗１６（Ｒ２）の端子電圧が誤差増幅器１５の（−）入力端に印加される。誤差増幅器１５は（＋）入力端に印加されている基準電圧（Ｖｒｅｆ）１４と（−）入力端に印加された電圧とを比較して誤差電圧を生成し、この誤差電圧を第１の電源部１１へフィードバックして第１の電圧（Ｖ１）の誤差分を補正し、安定化する。これにより、内部回路２１に供給される電圧Ｖｏが安定化される。
【００２２】
また、上記説明したステップＳＴ４およびステップＳＴ６において正常に機能していないと判断された場合に対し、さらにその旨を電圧オンオフ制御部２４の制御のもとに表示または音声等により報知する機能を設けてもよい。
【００２３】
また、以上では電力消費機器２に第１の電圧検出部２３および電圧オンオフ制御部２４を設ける構成で説明したが、この構成に代え、電力供給機器１に第２の電圧検出部１７を図１に示す位置に設け、この検出部１７で第２の抵抗１６（Ｒ２）の両端電圧を検出するとともに、図示しない電圧オンオフ制御部を設け、この電圧オンオフ制御部に第２の電圧検出部１７の検出電圧値を入力し、前述の図３の動作を行うようにしてもよい。
上記構成により、電力供給線３またはリモートセンス用配線４のどちらが断線しているかについては検知できないが、いずれか一方または双方の断線は検知できる。
【００２４】
以上のように、この実施の形態１によれば、正規電源である第１の電源部１１より電力消費機器２へ電力供給する前に、第２の電圧Ｖ２を供給し、第１の電圧検出部２３により検出した電圧値ＶＤが設定範囲内であるときに前記第２の電圧をオフするとともに前記第１の電源部１１をオンするように電圧オンオフ制御部２４が制御する構成としたので、電力供給線３およびリモートセンス用配線４を含む電力供給系統が正常動作しているか否かを事前に検知でき、正常動作していない場合は電力供給線３が断線、電圧発生部１２または第１のスイッチ回路１３が異常か、またはリモートセンス用配線４が断線かを容易に検知することが可能となる。
【００２５】
また、分圧回路を形成する第１の抵抗２２（Ｒ１）と第２の抵抗１６（Ｒ２）とを電力消費機器２と電力供給機器１とに分けて配置しているので、断線が電力供給線３またはリモートセンス用配線４のいずれであるかを特定することができる。
【００２６】
また、正規電源による電力供給の前に断線等のないことを事前に確認するので、正規電源による電力供給後にはリモートセンス機能が正常に作動し、これにより常に高精度の電圧を電力消費機器２に供給することができる。
【００２７】
実施の形態２．
図５はこの発明の実施の形態２による電力供給装置の構成を示すブロック図である。
図５において、図１と同一のものには同一符号を付してあり、図１と相違する点は図１の第１のスイッチ回路１３に代え、ダイオード１８を図示の向きに設けた点、および電圧オンオフ制御部２５の制御範囲が異なる点である。
【００２８】
上記ダイオード１８の順方向電圧をＶＦとしたとき、第１の電圧Ｖ１および第２の電圧Ｖ２との間で、Ｖ１＞Ｖ２＋ＶＦの関係を満たすとき、このダイオード１８は逆バイアスとなって遮断状態となり、図１における第１のスイッチ回路１３の開放（オフ）状態と同一となる。
また、電圧オンオフ制御部２５は第１の電源部１１のみオンオフ制御する。
従って、この実施の形態２の場合、前記図２（電圧オンオフ制御部の構成）の制御信号Ｓｃは第１の電源部１１をオンオフ制御する信号となる。
なお、図１と同一符号を付したその他についての説明は省略する。
【００２９】
次に動作について図６に従い説明する。
図６は電圧オンオフ制御部２５の動作シーケンスを示す図である。
この図６のシーケンスが図３と相違する点は図３のステップＳＴ１およびステップＳＴ７を不要としている点である。これは、第１の電圧Ｖ１の発生有無に応じてダイオード１８がオンオフすることによる。
初期状態は第１の電源部１１は非動作（オフ）である。この非動作により、第１の電圧Ｖ１の発生はなく、ダイオード１８は順方向バイアスとなり導通状態となって電圧発生部１２の第２の電圧Ｖ２が電力供給線３へ印加される。
【００３０】
以下、図１と同様に、第２の電圧Ｖ２による電流が電力供給線３、第１の抵抗２２（Ｒ１）、リモートセンス用配線４、第２の抵抗１６（Ｒ２）を経由して接地へ流れ、第１の抵抗２２（Ｒ１）の一端と接地間に電圧Ｖｄが発生する。
この電圧Ｖｄは第１の電圧検出部２３で検出され、その電圧値が計測される。
【００３１】
ステップＳＴ１１は図３のステップＳＴ２に相当し、上記計測された電圧値の信号が第１の電圧検出部２３より電圧オンオフ制御部２５へ入力される。この入力電圧Ｖｄの電圧値をＶＤとする。
【００３２】
以降のステップＳＴ１２〜ステップＳＴ１５は図３のステップＳＴ３〜ステップＳＴ６と、ステップＳＴ１６は図３のステップＳＴ８とそれぞれ同一であるのでこれらの説明は省略する。
なお、ステップＳＴ１６により、第１の電源部１１から電力供給線３に対し第１の電圧Ｖ１が供給されるとダイオード１８は逆バイアスとなって遮断状態（オフ）となり、第２の電圧Ｖ２の電力供給線３への印加が停止する。
【００３３】
また、ステップＳＴ１３およびステップＳＴ１５において、正常に機能していないと判断された場合に対しその旨を報知する機能を設けてもよい点については実施の形態１と同様である。
【００３４】
以上のように、この実施の形態２によれば、実施の形態１（図１）の第１のスイッチ回路１３をダイオード１８で構成したので、電圧オンオフ制御部２５による第２の電圧Ｖ２の電力供給線３への印加と停止の制御が不要となり、簡易な制御が可能となるとともに、実施の形態１と同様の効果を得ることができる。
【００３５】
実施の形態３．
図７はこの発明の実施の形態３による電力供給装置の電圧オンオフ制御部の動作シーケンスを示す図である。
この実施の形態３は、実施の形態２で説明した図５の電圧オンオフ制御部２５の動作シーケンス（図６）を拡張したものである。
図７において、ステップＳＴ１１〜ステップＳＴ１６は図６のステップＳＴ１１〜ステップＳＴ１６と同一である。
なお、以下の説明では図５の電圧オンオフ制御部２５の処理機能を拡張した「電圧オンオフ制御部２５ａ」（図示せず）として説明する。
この電圧オンオフ制御部２５ａが図５の電圧オンオフ制御部２５と相違する点は電圧演算機能を備えている点である。
【００３６】
ステップＳＴ１６において電圧オンオフ制御部２５ａから第１の電源部１１に対し電力供給要求（オン）の命令を発行することにより、第１の電源部１１から電力供給線３を介し第１の電圧Ｖ１が供給される。この第１の電圧Ｖ１による電流が電力供給線３、第１の抵抗２２（Ｒ１）、リモートセンス用配線４、第２の抵抗１６（Ｒ２）を経由して接地へ流れ、第１の抵抗２２（Ｒ１）の一端と接地間に電圧Ｖｄが発生する。この電圧Ｖｄは第１の電圧検出部２３で検出され、その電圧値が計測される。
【００３７】
ステップＳＴ１７は上記計測された電圧値の信号が第１の電圧検出部２３より電圧オンオフ制御部２５ａへ入力される。この入力電圧Ｖｄの電圧値をＶＤＤとする。
ここで、分圧回路を形成している第１の抵抗２２（Ｒ１）および第２の抵抗１６（Ｒ２）それぞれの抵抗値は既知である。
そこで、ステップＳＴ１８において、電圧オンオフ制御部２５ａは、「ＶＤＤ×（Ｒ１＋Ｒ２）／Ｒ２」の計算式を保有する電圧演算機能により内部回路２１に供給される電圧値を算出する。この算出電圧値をＶＯＯとする。
【００３８】
ステップＳＴ１９では、上記電圧値ＶＯＯと所定の電圧値ＶＳＨ１Ａとを比較し、ＶＯＯ＞ＶＳＨ１Ａでない（ＮＯ）ときはステップＳＴ２０へ移行し、第１の電源部１１に対し電力供給停止（オフ）の命令を発行する。
これにより、第１の電圧Ｖ１の供給が停止される。停止するのは、ＶＯＯが低過ぎることによる。
これに対し、ＶＯＯ＞ＶＳＨ１Ａのとき（ＹＥＳ）はステップＳＴ２１へ移行する。
【００３９】
ステップＳＴ２１では電圧値ＶＯＯと所定の電圧値ＶＳＨ２Ｄとを比較し、ＶＯＯ＜ＶＳＨ２Ａでない（ＮＯ）ときは前記ステップＳＴ２０へ移行し、第１の電源部１１に対し電力供給停止（オフ）の命令を発行する。
これにより、第１の電圧Ｖ１の供給が停止される。停止するのは、ＶＯＯが高過ぎることによる。
【００４０】
以上に対し、ステップＳＴ２１において、ＶＯＯ＜ＶＳＨ２Ａのとき（ＹＥＳ）はＶＯＯが設定範囲内と判断し、ステップＳＴ２２にて第１の電源部１１のオンを維持する。
【００４１】
なお、以上説明の電圧オンオフ制御部２５ａの電圧演算機能は実施の形態１（図１）にも適用できることはいうまでもない。
【００４２】
以上のように、この実施の形態３によれば、図５の電圧オンオフ制御部２５に電圧演算機能を備える構成にすることにより、第２の電圧Ｖ２を印加して断線検知等を行う際の第１の電圧検出部２３を使用し、第１の電源部１１から内部回路２１に印加される正規の電圧Ｖｏを算出し確認できる。この確認で電圧Ｖｏが不適であれば第１の電源部１１をオフするので、過電圧による内部回路２１の破壊を防止する一方、過少電圧であるときの不完全動作を防止できる。
また、第１の電圧検出部２３を共用でき、合理的な回路構成を実現できる。
【００４３】
実施の形態４．
図８はこの発明の実施の形態４による電力供給装置の構成を示すブロック図であり、図５をベースに描いたものである。
図８において、図５と同一のものには同一符号を付してあり、図５と相違する点は内部回路２１に印加する電圧Ｖｏをオンオフする第２のスイッチ回路２６を設けた点、および電圧オンオフ制御部２７の制御範囲が異なる点である。
上記電圧オンオフ制御部２７は第１の電源部１１および第２のスイッチ回路２６をオンオフ制御する。
従って、この実施の形態４の場合、前記図２（電圧オンオフ制御部の構成）の制御信号Ｓｃは第１の電源部１１および第２のスイッチ回路２６をオンオフ制御する信号となる。
なお、図１と同一符号を付したその他についての説明は省略する。
【００４４】
次に動作について図９に従い説明する。
図９は電圧オンオフ制御部２５の動作シーケンスを示す図である。
図９において、ステップＳＴ１１〜ステップＳＴ１７は図７のステップＳＴ１１〜ステップＳＴ１７と同一である。
【００４５】
ステップＳＴ１７では、第１の電圧検出部２３で計測された第１の電圧Ｖ１による第１の抵抗２２（Ｒ１）の一端と接地間の電圧Ｖｄの電圧値ＶＤＤが電圧オンオフ制御部２７へ入力する。
【００４６】
ステップＳＴ３１では、上記電圧値ＶＤＤと所定の電圧値ＶＳＨ１Ｄとを比較し、ＶＤＤ＞ＶＳＨ１Ｄでない（ＮＯ）ときはステップＳＴ３２へ移行し、供給電圧Ｖｏが低すぎると判断して処理を終わる。
これに対し、ＶＤＤ＞ＶＳＨ１Ｄのとき（ＹＥＳ）はステップＳＴ３３へ移行する。
【００４７】
ステップＳＴ３３では電圧値ＶＤＤと所定の電圧値ＶＳＨ２Ｄとを比較し、ＶＤＤ＜ＶＳＨ２Ｄでない（ＮＯ）ときはステップＳＴ３４へ移行し、供給電圧Ｖｏが高すぎると判断して処理を終わる。
【００４８】
以上説明のステップＳＴ３１〜ステップＳＴ３４の意味を図１０に示す。
図１０は電圧値Ｖｄとエラーとの関係図である。
図１０において、「エラー３」がステップＳＴ３２に該当し、供給電圧Ｖｏが低すぎるためにＶＤＤ＜ＶＳＨ１Ｄとなることを表す。
また、「エラー４」がステップＳＴ３４に該当し、供給電圧Ｖｏが高すぎるためにＶＤＤ＞ＶＳＨ２Ｄとなることを表す。
【００４９】
以上に対しステップＳＴ３３において、ＶＤＤ＜ＶＳＨ２Ｄのとき（ＹＥＳ）は正常動作していると判断し、ステップＳＴ３５にて第２のスイッチ回路２６を閉じる（オン）命令を発行する。
このステップＳＴ３５により、内部回路２１に電圧Ｖｏの電力が供給される。
【００５０】
また、上記説明したステップＳＴ３２およびステップＳＴ３４において供給電圧Ｖｏが不適正と判断された場合に対し、さらにその旨を電圧オンオフ制御部２７の制御のもとに表示または音声等により報知する機能を設けてもよい。
【００５１】
なお、以上説明の第２のスイッチ回路２６を設ける構成が実施の形態１（図１）にも適用できることはいうまでもない。
【００５２】
以上のように、この実施の形態４によれば、内部回路２１に印加する電圧Ｖｏをオンオフする第２のスイッチ回路２６を設ける構成としたので、供給電圧Ｖｏが適正な電圧値であるときに限り内部回路２１に電圧Ｖｏの電力が供給されるので、過電圧による内部回路２１の破壊を防止する一方、過少電圧であるときの不完全動作を防止できる。
【００５３】
【発明の効果】
以上のように、この発明によれば、第２の電圧を電力供給線に印加する第２の電源部と、前記第２の電圧印加時の内部回路に供給される電圧状態を検知する分圧回路と、前記分圧回路の分圧電圧値を検出する電圧検出部と、第１の電源部をオンする前に前記第２の電源部をオンし、前記電圧検出部により検出した分圧電圧値が設定範囲内のときに前記第２の電源部をオフするとともに前記第１の電源部をオンする電圧オンオフ制御部とを設けた構成としたので、電力供給線およびリモートセンス用配線を含む電力供給系統が正常動作しているか否かを事前に検知でき、正常動作していない場合は電力供給線が断線、電圧発生部または第１のスイッチ回路が異常か、またはリモートセンス用配線が断線かを容易に検知することが可能となる。
また、通常使用電源による電力供給の前に断線等のないことを事前に確認することからリモートセンス機能が正常に作動し、これにより常に高精度の電圧を電力消費機器２に供給することができる。
【図面の簡単な説明】
【図１】この発明の実施の形態１による電力供給装置の構成を示すブロック図である。
【図２】図１の電圧オンオフ制御部の機能構成をを示すブロック図である。
【図３】この発明の実施の形態１における電圧オンオフ制御部の動作シーケンスを示す図である。
【図４】図３の動作シーケンスにおける電圧値Ｖｄとエラーとの関係図である。
【図５】この発明の実施の形態２による電力供給装置の構成を示すブロック図である。
【図６】この発明の実施の形態２における電圧オンオフ制御部の動作シーケンスを示す図である。
【図７】この発明の実施の形態３による電力供給装置の電圧オンオフ制御部の動作シーケンスを示す図である。
【図８】この発明の実施の形態４による電力供給装置の構成を示すブロック図である。
【図９】この発明の実施の形態４における電圧オンオフ制御部の動作シーケンスを示す図である。
【図１０】図９の動作シーケンスにおける電圧値Ｖｄｄとエラーとの関係図である。
【符号の説明】
１  電力供給機器、２  電力消費機器、３  電力供給線、４  リモートセンス用配線、１１  第１の電源部、１２  電圧発生部、１３，２６  スイッチ回路、１４  基準電圧（Ｖｒｅｆ）、１５  誤差増幅器、１６，２２  抵抗、１７，２３  電圧検出部、１８  ダイオード、２１  内部回路、２４，２５，２７  電圧オンオフ制御部、２４１  基準電圧部、２４２，２４３  比較器、２４４  制御部。
【図１】
2005004358.tif 000003
【図２】
2005004358.tif 000004
【図３】
2005004358.tif 000005
【図４】
2005004358.tif 000006
【図５】
2005004358.tif 000007
【図６】
2005004358.tif 000008
【図７】
2005004358.tif 000009
【図８】
2005004358.tif 000010
【図９】
2005004358.tif 000011
【図１０】
2005004358.tif 000012